(57)【要約】【課題】美容院での洗髪時にシャンプー液および水が顔に付着しないよう顔に被せて使用する布が、顔に直接触れないことが目的である。【解決手段】顔の上にプラスチック成型とゲル成型で構成した装置を載せそれに布を固定し下から布を支え、布が顔に触れないようにした。【選択図】図１
2006223769.tif 000002
【特許請求の範囲】
【請求項１】
プラスチック成型の本体（１）に上方に接続し固定されたプラスチック成型の額用脚（２ａ）と、前記本体（１）に下方に接続し固定されたプラスチック成型の口紅付着防止用脚（３）と、前記本体（１）に左右斜め下方に接続された２本のプラスチック成型の頬用脚（４）で形成し、前記額用脚（２ａ）の上方先端をフック（２ｂ）にし、そのフック（２ｂ）に布を挟み布を固定して、前記額用脚（２ａ）と前記頬用脚（４）で布を下から支えることを特徴とする美容院でのシャンプー用布台座。
【請求項２】
前記本体（１）の内部にストッパー（５）をつけ、前記頬用脚（４）が前記口紅付着防止用脚（３）に接して、前記頬用脚（４）の一方は右方向へストッパー（５）の位置まで開いて止まり、前記頬用脚（４）の他方は左方向へストッパー（５）の位置まで開いて止まり、前記頬用脚（４）の右、左に開く距離を自由に選べる装置を設けた請求項１記載の美容院でのシャンプー用布台座。
【請求項３】
前記額用脚（２ａ）と前記頬用脚（４）の根もとに粘着力の強いゲル成型の台座（６）を取り付けた請求項１、または請求項２記載の美容院でのシャンプー用布台座。
【発明の詳細な説明】
【技術分野】
【０００１】  本発明は美容院において仰向け状態あるいは左右横向け状態で洗髪する際に洗髪される人の顔、目に水あるいはシャンプー液などが付着することを防止するために使用される顔に覆う布がズレることを防止するための、あるいは異臭が染み付いた布を直接洗髪される人の顔に触れることを防止するための、あるいは洗髪される人が施している化粧が布に付着することを防止するための美容院でのシャンプー用布台座に関する。
【背景技術】
【０００２】  美容院において髪の毛を洗髪する際は、通常洗髪される人が座っている椅子の背を倒し顔を仰向けにして、頭を洗髪台（シャンプータブ）の上方に位置させて洗髪する。また洗髪される髪の部位によって顔を右、左または下に向けて洗髪することが必要である。洗髪するためには、シャンプー液や水（通常は所定の温度に加熱した湯を使用するが、本考案明細書においては水と総称する）などを使用するため、これらのシャンプー液またはその水溶液や水などが飛散して、洗髪される人の露出している顔の上に付着して顔が濡れることがある。このようにして例えば、シャンプー液が目に付着すると目にしみるなど刺激痛が生じ、シャンプー液あるいは水が顔に飛散すると不快感を催し、また特に女性の場合は通常顔に化粧を施しているため、シャンプー液あるいは水が顔に付着して化粧を落としてしまうことを避けるため、また、目を閉じている顔を他人に見られたくないなどの顧客の要望により、洗髪中に仰向けあるいは横向け状態で洗髪されている顧客の顔の上に、ガーゼなど布製のハンカチあるいはタオルを被せてシャンプー液や水の飛沫などが顔に付着して顔が濡れないような対策を講じていた。
図４はガーゼを顔に被せ洗髪している状態を示す部分正面図である。ガーゼ（７）は柔らかいため、顔（８）に被せると自重で顔の表面の凹凸に沿って変形し洗髪される人の両眉、両目、鼻、口に被さっている。
【発明の開示】
【発明が解決しようとする課題】
【０００３】  しかし、美容院での洗髪作業は美容師の技術などにより多少の差はあるが、１０及至１５分間程度を要し、その間仰向けだけでなく洗髪される髪の部位によって顔を右や左に横向けにあるいは下向けにする必要があり、ガーゼあるいはタオルが滑りズレてしまう。その度に美容師は洗髪作業を中断し、濡れた手であるいは濡れた手を拭きガーゼあるいはタオルを元の位置に戻してまた洗髪作業を進めることを数回行われ、洗髪作業には余計な時間と手間がかかる問題があった。また、美容院で用意するガーゼあるいはタオルは繰り返し使用するため、使用する度に洗濯して清潔な状態で使用してはいるが、髪の毛の染色に使用する染め粉や口紅などが付着した場合通常の洗濯では容易に汚れが落ちないため漂白剤などを用い洗濯する。繰り返し漂白剤などを用い洗濯することによりガーゼあるいはタオルに漂白剤などの強い刺激臭が異臭となって染み付き被せられた人に強い不快感を与えてしまう問題があった。また、化粧を施している女性の場合ガーゼあるいはタオルを被せられることにより化粧がガーゼあるいはタオルに付着してしまう問題があった。これらの問題を解決するためガーゼあるいはタオルなどの布が固定され洗髪中にも布が動かないために、異臭がついた布が顔に直接触れないために、また布に化粧が付着しないことを課題として研究を進めた。
【課題を解決するための手段】
【０００４】  以上の課題を解決するために、顔の上に載せ布を下から支える装置を考案した。第一発明は本体を軸に４本の脚を接続しその脚の１本は本体から下方唇の上に位置し、布が唇に触れることを防止しする。残り３本の脚の１本は上方先端がフックであり脚もとを額に当てて押圧し、前記３本の脚の１本の脚もとを右頬に当てて押圧し、前記３本の脚の１本の脚もとを左頬に当てて押圧し、布を前記フックに挟み固定し、顔に当てて押圧した前記３本の脚で布を下から支えることを特徴とする装置である。
第二発明は、顔の大きさあるいは顔の凹凸に合わせ前記装置が顔の上で安定し固定するため、前記右頬に当てて押圧される脚と前記左頬に当てて押圧される脚が左右に開閉し、前記装置が安定し固定する位置を選べる仕掛けを設けた。
第三発明は、前記装置が顔の上で安定し固定されるよう顔に当てて押圧される前記３本の脚の根もとに粘着力が強いゲル成型の台座を取り付けた。
【発明の効果】
【０００５】  本発明は以上のような構成だから、顔の大きさあるいは顔の凹凸などの違いがあってもすべての顧客に使用でき、顔と布の間に隙間が形成されるため布についた異臭もその隙間により大きく緩和され、布が顔に触れないので布に化粧が付着することもなく、布が動かないよう固定されたので洗髪作業が円滑に進み時間と手間を節約することができた。また顔に当てて押圧されるゲル成型の台座の汚れは、水で容易に落ち、使用後その都度水洗いすることで常に清潔な状態で使用することができ、その台座の表面の水分を取り除くことで強い粘着力を維持することができる。
【発明を実施するための最良の形態】
【０００６】  図１はこの発明を示した斜視図である。
プラスチック成型の本体（１）に上方額に当てて押圧されるプラスチック成型の額用脚（２ａ）を接続し、前記本体（１）に下方唇の上に位置するプラスチック成型の口紅付着防止用脚（３）を接続し、前記本体（１）に左右斜め下方に２本のプラスチック成型の頬用脚（４）を接続し、前記頬用脚（４）の一方は右頬に当てて押圧され他方は左頬に当てて押圧される。前記額用脚（２ａ）の上方先端はフック（２ｂ）であり、前記額用脚（２ａ）と前記口紅付着防止用脚（３）は前記本体（１）に固定されている。前記本体（１）に接続されている前記頬用脚（４）は前記本体（１）の内部のストッパー図２（５）で前記口紅付着防止用脚（３）に接し、一方は右へストッパー（５）の位置まで開いて止まり他方は左へストッパー（５）の位置まで開いて止まりその右、左に開閉される距離を顔の大きさあるいは顔の凹凸に合わせて位置決めるすることができる。額に当てて押圧される前記額用脚（２ａ）と、一方は右頬に当てて押圧され他方は左頬に当てて押圧される前記頬用脚（４）の根もとには、顔の上で安定し固定するため粘着力が強いゲル成型の台座（６）を取り付けた。
【実施例】
【０００７】  この発明の一実施形態を図３に示す。
顔（８）の上に載せられフック（２ｂ）に布（７）が挟まれ固定されている。顔（８）と布（７）の間に隙間が形成され鼻からの呼気も楽になり、布についた異臭も隙間により大きく緩和され、布が顔に触れないため化粧が布に付着することもない。何よりも顔に化粧を施した人は顔に布が触れないことで精神的に極めて楽な状態で洗髪される。
【図面の簡単な説明】
【０００８】
【図１】  この発明を示した斜視図である。
【図２】  本体を示した拡大平面図である。
【図３】  この発明の一実施形態を示す斜視図である。
【図４】  従来技術を示す部分正面図である。
【符号の説明】
【０００９】  （１）  は本体
（２ａ）は額用脚
（２ｂ）はフック
（３）  は口紅付着防止用脚
（４）  は頬用脚
（５）  はストッパー
（６）  は台座
（７）  はガーゼ
（８）  は顔
【図１】
2006223769.tif 000003
【図２】
2006223769.tif 000004
【図３】
2006223769.tif 000005
【図４】
2006223769.tif 000006